(57)【要約】【課題】殊更、補強専用の部材を設けることなく、逆梁を合理的に補強して、例えば、逆梁の横方向への座屈を防止し得る逆梁の補強構造の提供。【解決手段】下方部位でスラブ１を支持して上方部位がスラブ１の上方に突出する逆梁３の補強構造であって、逆梁３の上方部位が、スラブ１の上方に構築される上方構造体７に接合されて一体化されている。【選択図】図３
2019138120.tif 000002
【特許請求の範囲】
【請求項１】
下方部位でスラブを支持して上方部位が当該スラブの上方に突出する逆梁の補強構造であって、
前記逆梁の上方部位が、前記スラブの上方に構築される上方構造体に接合されて一体化されている逆梁の補強構造。
【請求項２】
前記逆梁の上面が、前記上方構造体に接合されている請求項１に記載の逆梁の補強構造。
【請求項３】
前記上方構造体が、鉛直方向への縦壁部と水平方向への横壁部を有し、当該横壁部が、前記逆梁に接合されている請求項１または２に記載の逆梁の補強構造。
【請求項４】
前記上方構造体の縦壁部が、前記スラブと一体化されている請求項１〜３のいずれか１項に記載の逆梁の補強構造。
【請求項５】
前記縦壁部が、前記スラブ上からの車両の転落を防止する腰壁である請求項４に記載の逆梁の補強構造。
【請求項６】
前記上方構造体が、コンクリート製の構造体である請求項１〜５のいずれか１項に記載の逆梁の補強構造。
【発明の詳細な説明】
【技術分野】
【０００１】
本発明は、下方部位でスラブを支持して上方部位が当該スラブの上方に突出する逆梁の補強構造に関する。
【背景技術】
【０００２】
梁の補強構造に関しては、上方部位でスラブを支持して梁全体がスラブの下方に位置する順梁の場合、例えば、スラブに接合されて下方に突出する接合プレートを順梁の横側方に配置し、その接合プレートと順梁とを水平材と斜材により三角形状に接合して補強し、順梁の横座屈などを防止する補強構造が知られている（例えば、特許文献１参照）。
この順梁の補強構造を逆梁に適用するとすれば、スラブに接合されて上方に突出する接合プレートを逆梁の横側方に配置し、その接合プレートと逆梁とをスラブの上方において水平材と斜材により三角形状に接合することになる。
しかしながら、その場合、逆梁の補強機能のみを有する部材、つまり、逆梁の補強専用の三角形状の補強部材が必要となる。
【先行技術文献】
【特許文献】
【０００３】
【特許文献１】特許第３１６９０８７号公報
【発明の概要】
【発明が解決しようとする課題】
【０００４】
本発明の目的は、殊更、補強専用の部材を設けることなく、逆梁を合理的に補強して、例えば、逆梁の横方向への座屈を防止し得る逆梁の補強構造を提供することにある。
【課題を解決するための手段】
【０００５】
本発明の第１特徴構成は、下方部位でスラブを支持して上方部位が当該スラブの上方に突出する逆梁の補強構造であって、前記逆梁の上方部位が、前記スラブの上方に構築される上方構造体に接合されて一体化されている点にある。
【０００６】
本構成によれば、逆梁の上方部位が、スラブの上方に構築される上方構造体、例えば、車両転落防止用の腰壁、空調用ダクトや各種の配管類を収納する収容用構造体、休息用のベンチ、あるいは、鉢植えなどの各種物品を載置する載置台などの上方構造体に接合されて一体化されているので、必要に応じてスラブの上方に構築される各種の上方構造体を有効に利用して、つまり、逆梁補強のための専用の補強部材を設けることなく、逆梁の横方向への座屈などを合理的に防止できる。
【０００７】
本発明の第２特徴構成は、前記逆梁の上面が、前記上方構造体に接合されている点にある。
【０００８】
本構成によれば、逆梁の上方部位のうちの逆梁の上面が、上方構造体に接合されているので、逆梁の横座屈などをより一層確実かつ効果的に防止できる。
【０００９】
本発明の第３特徴構成は、前記上方構造体が、鉛直方向への縦壁部と水平方向への横壁部を有し、当該横壁部が、前記逆梁に接合されている点にある。
【００１０】
本構成によれば、上方構造体が、鉛直方向への縦壁部と水平方向への横壁部を有し、その横壁部が、逆梁に接合されているので、縦壁部と横壁部を有する上方構造体の形状を有効に利用して逆梁の横方向への座屈などを合理的に防止できる。
特に、上方構造体の横壁部を逆梁の上面に接合する場合には、逆梁の横方向への座屈などを合理的かつ効果的に防止できる。
その場合、上方構造体の縦壁部は、外壁の一部であってもよいが、スラブから上方へ突出する縦壁部を外壁とは別に構築する場合には、上方構造体の縦壁部と横壁部および外壁によって逆梁を完全に覆い隠すことも可能となる。
【００１１】
本発明の第４特徴構成は、前記上方構造体の縦壁部が、前記スラブと一体化されている点にある。
【００１２】
本構成によれば、上方構造体の縦壁部が、スラブと一体化されているので、上方構造体の縦壁部を強固な構造にすることができ、それに連接の横壁部も強固な構造にすることができるとともに、逆梁の補強効果が向上し、逆梁の横方向への座屈防止効果も向上する。
【００１３】
本発明の第５特徴構成は、前記縦壁部が、前記スラブ上からの車両の転落を防止する腰壁である点にある。
【００１４】
本構成によれば、上方構造体の縦壁部が、スラブ上からの車両の転落を防止する腰壁であるから、上記の第４特徴構成で述べたように、上方構造体全体を強固な構造にして車両の転落防止効果を向上させることができる。
【００１５】
本発明の第６特徴構成は、前記上方構造体が、コンクリート製の構造体である点にある。
【００１６】
本構成によれば、上方構造体が、コンクリート製の構造体であるから、例えば、上方構造体をプレキャストコンクリート製にして現場での構築の容易化を図ることも、また、現場打ちコンクリート製にすることによりスラブや外壁などと一緒に構築することも可能となる。
【図面の簡単な説明】
【００１７】
【図１】逆梁の補強構造を備えた立体駐車場の概略構成を示す正面図
【図２】図１におけるＡ−Ａ矢視図
【図３】図２におけるＢ−Ｂ矢視図
【図４】図２におけるＣ−Ｃ矢視図
【図５】別実施形態を示す要部の概略構成を示す縦断正面図
【発明を実施するための形態】
【００１８】
本発明による逆梁の補強構造の実施形態を図面に基づいて説明する。
この逆梁の補強構造は、例えば、図１に示すように、立体駐車場などの各種の建物に適用される。
図１に示す立体駐車場は、各階におけるコンクリート製のスラブ１が、図外の柱間に接続支持されたＨ型鋼からなる多数の順梁２、つまり、上方部位でスラブ１を支持して梁全体がスラブ１の下方に位置する順梁２によりそれぞれ支持される。各スラブ１は、その中央部から横側方（図１の右側方）に向けて必要な水勾配がつけられ、スラブ１の横側方は、図外の柱間に接続支持された逆梁３、つまり、下方部位でスラブ１を支持して上方部位がスラブ１の上方に突出する逆梁３によりそれぞれ支持される。
【００１９】
逆梁３は、図３および図４に示すように、上フランジ３ａ、下フランジ３ｂ、両フランジを連結するウェブ３ｃを備えたＨ型鋼で構成され、逆梁３の下方部位に相当する下フランジ３ｂがスラブ１を支持する。逆梁３は、そのウェブ３ｃの下方部位に固着のスタッドボルト４ｂを介してスラブ１に接続され、その上方部位に相当するウェブ３ｃの上部と上フランジ３ａが、スラブ１の上方に突出する構成とされる。
逆梁３の外側には、上方の開口部５（図１参照）を残して下方を覆うプレキャストコンクリート製の外壁６が配置される。この外壁６は、その断面形状が、図３および図４に示すように、鉛直方向へ延出する縦外壁部６ａとその縦外壁部６ａの上端から水平方向へ延出する横外壁部６ｂからなる逆「Ｌ」字状で、図外の柱などに接続支持される。
【００２０】
逆梁３の内側には、車両の落下を防止する上方構造体としてのプレキャストコンクリート製の腰壁構造体７が配置される。腰壁構造体７は、その断面形状が、図３に示すように、鉛直方向へ延出する縦壁部７ａとその縦壁部７ａの上下中間部から水平方向へ延出する横壁部７ｂからなるほぼ「ト」の字状に構成される。腰壁構造体７の縦壁部７ａは、その縦壁部７ａとスラブ１に亘って配設される図外の配筋によりスラブ１に接続されて一体化され、その縦壁部７ａが、スラブ１上からの車両の転落を防止する腰壁として機能する。
腰壁構造体７の横壁部７ｂは、逆梁３の上フランジ３ａの上面に沿って延出され、その横壁部７ｂには、図２（図２では、他の構成を見易くするため、腰壁構造体７の縦壁部７ａを取り除いた状態で仮想線で示している）および図３に示すように、長手方向（図２の紙面に沿う横方向、図３の紙面に直交する方向）に沿って多数の上下方向への貫通孔７ｃが穿設される。各貫通孔７ｃ内には、逆梁３の上フランジ３ａに固着のスタッドボルト４ａが位置され、各貫通孔７ｃおよび貫通孔７ｃ近傍の横壁部７ｂと上フランジ３ａの間に無収縮モルタル８が注入されて、上フランジ３ａの上面と横壁部７ｂが互いに接合されて一体化される。
【００２１】
その横壁部７ｂは、図２および図４に示すように、長手方向の両端近傍部が一部切り欠かれ、その切り欠き部上方の縦壁部７ａには、構築時に腰壁構造体７や外壁６などの取り付け用などに使用される開口部７ｄが設けられる。
逆梁３の上フランジ３ａには、各開口部７ｄに対応して束材９が配設され、その束材９と縦壁部７ａの間には、ボルト１０ａとＬ型鋼１０ｂなどからなる腰壁構造体７の傾斜調整機構１０と、ボルト１１ａとそのボルト１１ａが当接するブラケットの上板材１１ｂなどからなる腰壁構造体７の高さ調整機構１１が設けられる。他方、束材９と外壁６の間には、ボルト１２ａとナット１２ｂなどからなる外壁６の高さ調整機構１２と、ボルト１３ａとそのボルト１３ａが当接する板材１３ｂなどからなる外壁６の傾斜調整機構１３が設けられる。
【００２２】
つぎに、この逆梁の補強構造につき、その構築方法を説明する。
まず、順梁２と逆梁３を所定の位置に配置接続した状態で、逆梁３の内側にプレキャストコンクリート製の腰壁構造体７を配置する。その際、腰壁構造体７の横壁部７ｂに穿設の貫通孔７ｃの周辺において、横壁部７ｂと逆梁３の上フランジ３ａとの間に無収縮モルタル８の流出を規制する規制部材８ａを挟んで配置する。
その後、腰壁構造体７の傾斜調整機構１０と高さ調整機構１１により腰壁構造体７の取り付け姿勢を調整し、スラブ１を構築するための型枠を配置した後、コンクリートの現場打ちにより腰壁構造体７と一体化した状態でスラブ１を構築し、必要に応じて表面仕上げ材１ａを施工する。そして、横壁部７ｂの貫通孔７ｃに無収縮モルタル８を注入し、腰壁構造体７の横壁部７ｂと逆梁３の上フランジ３ａとを接合して一体化する。
【００２３】
このスラブ１の構築前あるいは構築後において、逆梁３の外側にプレキャストコンクリート製の外壁６を配置し、外壁６の高さ調整機構１２と傾斜調整機構１３により外壁６の取り付け姿勢を調整して所定の柱間などに接続する。
そして、腰壁構造体７の横壁部７ｂと外壁６の縦外壁部６ａとの間にロックウールなどの不燃性の充填材１４を介装するとともに、腰壁構造体７の縦壁部７ａと外壁６の横外壁部６ｂとの間にも不燃性のシール材１５を介装する。
更に、スラブ１の構築後において、スラブ１の横側方と外壁６の縦外壁部６ａの下端部との間に不燃性の覆い材１６を配設し、腰壁構造体７の縦壁部７ａに設けた開口部７ｄを図外のカバー体により覆って構築を完了する。
【００２４】
〔別実施形態〕
（１）先の実施形態では、腰壁構造体７をプレキャストコンクリート製とし、スラブ１を現場打ちコンクリートにより構築した例を示したが、腰壁構造体７とスラブ１を現場打ちコンクリートにより一体化した状態で同時に構築することもできる。
その場合、図３に示したように、逆梁３のウェブ３ｃと腰壁構造体７の縦壁部７ａとの間に空間を設けて構築することも、また、図５の（ａ）に示すように、逆梁３のウェブ３ｃと腰壁構造体７の縦壁部７ａとを接触させて構築することもできる。
このように、逆梁３のウェブ３ｃと腰壁構造体７の縦壁部７ａとを接触させて構築する場合には、コンクリート用型枠の一部を省略することができ、かつ、逆梁３のウェブ３ｃと腰壁構造体７の縦壁部７ａとを強固に接合することができるので、逆梁３の補強効果、特に、逆梁の横座屈防止効果が向上し、更に、逆梁３のウェブ３ｃにスタッドボルトを固着してウェブ３ｃと縦壁部７ａとを接合する場合には、逆梁の横座屈防止効果が一層顕著となる。
【００２５】
また、図５の（ｂ）に示すように、腰壁構造体７と外壁６との間に発泡スチロールなどの軽量化のための充填材１７を介在させて、腰壁構造体７と外壁６をプレキャストコンクリートにより一体化して構築することもでき、必要に応じて腰壁構造体７の縦壁部７ａと外壁６の横外壁部６ｂとの間に不燃性のシール材１５を介装する。更に、これら腰壁構造体７と外壁６を現場打ちコンクリートにより一体的に構築することも、また、スラブ１を加えて、腰壁構造体７、外壁６、および、スラブ１を現場打ちコンクリートにより一体的に構築することもできる。
【００２６】
（２）先の実施形態では、上方構造体７の一例として車両転落防止用の腰壁７ａを備えた腰壁構造体を示したが、上方構造体７は、特に腰壁構造体に限るものではなく、種々の機能を備えた各種の構造体で構成することができる。
例えば、図５の（ｃ）に示すように、縦壁部７ａと横壁部７ｂを備え、空調用ダクト１８やその他の各種配管類を収納する収容用構造体７により上方構造体を構成することもできる。このように、上方構造体７が、スラブ１から上方へ延出する縦壁部７ａとその縦壁部７ａから横方向へ延出する横壁部７ｂを備えている場合には、空調用ダクト１８などの収納物と逆梁３を一緒に覆い隠すことができるので好都合である。
【００２７】
また、縦壁部７ａと横壁部７ｂを備え、その横壁部７ｂが腰掛部として機能する休息用のベンチや、横壁部７ｂが載置部として機能する鉢植えなどの各種物品の載置台により上方構造体７を構成することもできる。その場合、横壁部７ｂは、必ずしも上方構造体７の縦壁部７ａに連結する必要はなく、図５の（ｄ）に示すように、外壁６の縦外壁部６ａから逆梁３の上フランジ３ａの上面に沿って横壁部７ｂを延出し、その横壁部７ｂを腰掛部または載置部に構成することができる。要するに、上方構造体７を外壁６の縦外壁部６ａと横壁部７ｂで構成することができ、その場合、外壁６の縦外壁部６ａが上下階をつなぐ縦外壁部６ａとすることができ、いずれの場合もその横壁部７ｂを腰掛部または載置部として構成することができる。なお、図５の（ｄ）において、１９は目地を示す。
【００２８】
（３）これまでの実施形態では、逆梁３の上面が上方構造体７の横壁部７ｂに接合される構成を示したが、上方構造体７に接合される逆梁３の部位は、必ずしもその上面に限るものではなく、逆梁３の上方部位であればよく、また、その逆梁３の上方部位が、上方構造体７の横壁部７ｂ以外の部位に接合されても、必要な横座屈防止効果を期待することは可能である。
そして、逆梁３と上方構造体７との接合部位は、逆梁３の長手方向の全長であっても、逆梁３の長手方向の中央部などの一部であってもよく、更に、上方構造体７に関しては、プレキャストまたは現場打ちによるコンクリート製に限らず、例えば、金属や合成樹脂などのようなコンクリート以外の材料により構成することもできる。
【符号の説明】
【００２９】
１        スラブ
３        逆梁
７        上方構造体
７ａ      腰壁としての縦壁部
７ｂ      横壁部
【図１】
2019138120.tif 000003
【図２】
2019138120.tif 000004
【図３】
2019138120.tif 000005
【図４】
2019138120.tif 000006
【図５】
2019138120.tif 000007